(57)【要約】【課題】特殊なロール紙幅でも、有効に自動用紙選択や自動倍率選択などの機能を使用することができるようにする。【解決手段】ロール紙サイズ設定キーを使用して不定型紙の定型紙への設定を開始する（Ｓ１）。この設定キーを押下することにより、どの給紙段に４４０ｍｍのロール紙を割り当てるかをテンキーにて設定し（Ｓ２）、＃キーを押下することにより給紙段を確定させる（Ｓ３）。さらに、テンキーにてロール紙の幅、この場合は４４０（ｍｍ）を設定して（Ｓ４）＃キーを押下することによりロール紙幅を確定する（Ｓ５）。さらにテンキーで定型横サイズの副走査長、定型縦サイズの副走査長を入力する（Ｓ６，Ｓ８）ことにより４４０ｍｍのロール紙の場合、定型横サイズ（４４０ｍｍ×２９７ｍｍ）、定型縦サイズ（４４０ｍｍ×５９４ｍｍ）を定型サイズとして登録することができる（Ｓ７，Ｓ９）。【選択図】図１０
2007225816.tif 000002
【特許請求の範囲】
【請求項１】
複数のロール紙供給段を有し、当該複数のロール紙供給段の１つから供給されたロール紙に対して画像を形成する画像形成装置であって、
セットした原稿サイズに基づいて最適なサイズの給紙段を選択する自動給紙段選択手段と、
使用するロール紙の幅を入力し、設定する幅設定手段と、
前記幅設定手段により設定された幅寸法を表示する表示手段と、
前記幅設定手段により設定された前記ロール紙幅を定型用紙サイズとして使用する制御手段と、
を備えていることを特徴とする画像形成装置。
【請求項２】
前記幅設定手段により設定された前記ロール紙幅を定型用紙サイズとして使用する際、当該定型用紙サイズを登録する登録手段を備えていることを特徴とする請求項１記載の画像形成装置。
【請求項３】
前記選択手段によって選択された定型用紙サイズに対応させて副走査長を設定する副走査長設定手段を備えていることを特徴とする請求項１又は２記載の画像形成装置。
【請求項４】
前記副走査長設定手段によって設定される副走査長は、縦定型サイズ及び横定型サイズのいずれかであることを特徴とする請求項３記載の画像形成装置。
【請求項５】
原稿の主走査長及び副走査長を検出する検出手段と、
画像の変倍率を設定する変倍率設定手段と、
をさらに備え、
前記制御手段は、前記検出手段によって検出された原稿の主走査長及び副走査長並びに前記変倍率設定手段によって設定された変倍率に基づいて、前記幅設定手段によって設定された任意幅の定型用紙サイズから用紙サイズを選択することを特徴とする請求項１ないし４のいずれか１項に記載の画像形成装置。
【請求項６】
原稿の主走査長及び副走査長を検出する検出手段と、
画像の変倍率を設定する変倍率設定手段と、
をさらに備え、
前記制御手段は、前記検出手段によって検出された原稿の主走査長及び副走査並びに任意に設定された定型用紙サイズから最適な変倍率を設定する際、前記任意に設定した定型用紙サイズから変倍率を選択することを特徴とする請求項１ないし４のいずれか１項に記載の画像形成装置。
【請求項７】
コンピュータにロードされ、不定型ロール紙を定型ロール紙として取り扱って画像を形成させるコンピュータプログラムにおいて、
複数のロール紙供給段のから１つの給紙段を設定する手順と、
前記ロール紙のロール紙幅を設定する手順と、
定型横サイズを設定する手順と、
定型縦サイズを設定する手順と、
を備えていることを特徴とするコンピュータプログラム。
【発明の詳細な説明】
【技術分野】
【０００１】
複数のロール紙供給段を有する画像形成装置及び当該画像形成装置のコンピュータで実行されるコンピュータプログラムに関する。
【背景技術】
【０００２】
近年、画像形成装置においては、アナログ画像形成装置からデジタル画像形成装置へ急速に切り替わり、事務機はほぼデジタル画像形成装置が主流になり、プリンタ等の融合も行われている。図面等広幅のコピーを必要とする分野においてもデジタル化は進んでおり、事務機に搭載されている機能も広幅機には搭載され、益々多機能化が進んでいる。事務機でコピーする対象原稿は一般文章物が多く、コピーの画質以外にも生産性の高さが要求されるが、広幅機も普及層の機種と同様の機能が要求されることが多く、さらに、普及層機以上に高機能機となっているのが実情である。
【０００３】
広幅機では複写原稿が大きい図面などの場合も多く、ロール紙も多岐にわたる。農林規格など、Ａ３横幅（４２０ｍｍ）より少し広い４４０ｍｍ幅の用紙なども存在している。しかしながら、一般的なロール紙幅ではないため、その使用方法に関しては、かなり制約されており、使用方法が限定されているのが実情である。一般的には不定形サイズとして入力し、制約のある状態で使用しているのが常である。
【０００４】
このようなサイズが不定形の原稿に対応するものとして、例えば特許文献１ないし３に記載された発明が公知である。このうち特許文献１記載の発明は、検知される不定形原稿を変更する場合、キーを押下すると画面が切り替わり、変更したいサイズを押下することによって原稿サイズを設定し、この画面で画像領域を設定したい場合は、「画像領域設定」キーを押下すると、数値を入力して「設定」キーを押下すると設定される画面になり、定形のＢ４サイズも使用したい場合は制約となるが、不定形サイズはＢ４Ｔにして、定形サイズはＢ４Ｙで使用できる、というものである。
【０００５】
また、特許文献２記載の発明は、画像形成装置は、原稿の画像をスキャナで読み取ってプロッタで記録し、当該画像を記録したロール紙を所定の定形サイズに切断するに際して、プロッタの各種幅サイズの長尺のロール紙を収納する給紙トレイの複数の幅サイズのロール紙のうち１つのロール紙を自動選択して、原稿の画像を９０度又は２７０度回転させた状態で当該選択したロール紙に記録して切断するようにしたもので、この切断に際し、画像形成装置は、切断後の用紙の副走査長が給紙トレイからのロール紙の最低搬送長よりも短いと、当該ロール紙を選択対象のロール紙から外し、最低搬送長がロール紙の短手方向の寸法未満になってしまう場合にも、ユーザが意識することなく、原稿画像に適したロール紙を自動選択することができるようにしたものである。
【０００６】
さらに、特許文献３記載の発明は、１以上のロール給紙手段と該ロール紙を切断するためのカッターを有し、該ロール紙を定形サイズの長さに切断する定形サイズカットモード、原稿の長さと変倍率に対応した長さに該ロール紙を切断するシンクロカットモードなどの手段を備え、原稿の画像情報を任意の倍率で複写可能な複写装置において、原稿の幅及び長さを検知する手段と、用紙の幅及び長さを検知する手段と、所要の指令を与え操作する手段と、原稿幅と変倍率に対応する幅の用紙を給紙する自動用紙選択モードを有する制御手段を有し、該自動用紙選択モードにおいて、定形サイズカット及びシンクロカットの両モードを切り換えることを特徴としたものである。
【特許文献１】特開２００５−００７６９４号公報
【特許文献２】特開２０００−１０３５３６号公報
【特許文献３】特許第２５２９６８４号公報
【発明の開示】
【発明が解決しようとする課題】
【０００７】
広幅機では複写原稿が大きい図面などの場合も多く、ロール紙でも多岐にわたる。農林規格など、Ａ３横幅（４２０ｍｍ）より少し広い４４０ｍｍ幅の用紙なども存在しており、その分野では頻繁に使用されている。しかしながら、通常定型サイズと言えば、Ａ列（Ａ４，Ａ３，Ａ２，Ａ１、Ａ０）又はＢ列（Ｂ４，Ｂ３，Ｂ２，Ｂ１，Ｂ０）であり、特殊幅のロール紙に関しては不定形サイズとして扱い、使用方法をかなり制限して使用したり、書き込みを最大サイズで書き込んだりしている。これでは、その分野で頻繁に使用するロール紙では、充分な機能として機械を使用することができず、機械の性能を充分に発揮しているとは言い難かった。また、ロール紙はその用途により、様々な幅のロール紙があり、当然、このような様々な幅のロール紙に対応することができなかった。
【０００８】
したがって、本発明の課題は、前述のような特殊なロール紙幅でも、有効に自動用紙選択や自動倍率選択などの機能を使用することができるようにすることにある。
【課題を解決するための手段】
【０００９】
前記課題を解決するため、第１の手段は、複数のロール紙供給段を有し、当該複数のロール紙供給段の１つから供給されたロール紙に対して画像を形成する画像形成装置であって、セットした原稿サイズに基づいて最適なサイズの給紙段を選択する選択手段と、使用するロール紙の幅を入力し、設定する幅設定手段と、前記幅設定手段により設定された幅寸法を表示する表示手段と、前記幅設定手段により設定された前記ロール紙幅を定型用紙サイズとして使用する制御手段とを備えていることを特徴とする。
【００１０】
第２の手段は、第１の手段において、前記幅設定手段により設定された前記ロール紙幅を定型用紙サイズとして使用する際、当該定型用紙サイズを登録する登録手段を備えていることを特徴とする。
【００１１】
第３の手段は、第１又は第２の手段において、前記選択手段によって選択された定型用紙サイズに対応させて副走査長を設定する副走査長設定手段を備えていることを特徴とする。
【００１２】
第４の手段は、第３の手段において、前記副走査長設定手段によって設定される副走査長が縦定型サイズ及び横定型サイズのいずれかであることを特徴とする。
【００１３】
第５の手段は、第１ないし第４のいずれかの手段において、原稿の主走査長及び副走査長を検出する検出手段と、画像の変倍率を設定する変倍率設定手段とをさらに備え、前記制御手段は、前記検出手段によって検出された原稿の主走査長及び副走査長並びに前記変倍率設定手段によって設定された変倍率に基づいて、前記幅設定手段によって設定された任意幅の定型用紙サイズから用紙サイズを選択することを特徴とする。
【００１４】
第６の手段は、第１ないし第４のいずれかの手段において、原稿の主走査長及び副走査長を検出する検出手段と、画像の変倍率を設定する変倍率設定手段とをさらに備え、前記制御手段は、前記検出手段によって検出された原稿の主走査長及び副走査並びに任意に設定された定型用紙サイズから最適な変倍率を設定する際、前記任意に設定した定型用紙サイズから変倍率を選択することを特徴とする。
【００１５】
第７の手段は、コンピュータにロードされ、不定型ロール紙を定型ロール紙として取り扱って画像を形成させるコンピュータプログラムにおいて、複数のロール紙供給段のから１つの給紙段を設定する手順と、前記ロール紙のロール紙幅を設定する手順と、定型横サイズを設定する手順と、定型縦サイズを設定する手順とを備えていることを特徴とする。
【００１６】
なお、後述の実施形態では、ロール紙供給段は第１ないし第３の給紙ロール１１０，１２０，１３０に、選択手段は自動用紙選択キー５３２及びＣＰＵ６７に、幅設定手段は幅設定キー５３２１，５３２２，５３２３に、表示手段はキー設定部５３０に、制御手段はＣＰＵ６７に、登録手段はロール紙サイズ設定キー５３５に、副走査長設定手段はテンキー５２２に、変倍率設定手段は変倍キー５３３及びＣＰＵ６７に、それぞれ対応する。
【発明の効果】
【００１７】
本発明によれば、セットした原稿サイズに基づいて選択されたサイズの給紙段のロール紙を、入力されたロール紙の幅寸法に応じて定型寸法に設定して給紙するので、特殊なロール紙幅でも、有効に自動用紙選択や自動倍率選択などの機能を使用することができる。
【発明を実施するための最良の形態】
【００１８】
以下、本発明の実施形態について図面を参照して説明する。
【００１９】
図１は、本発明の実施形態に係る画像形成装置の概略構成を示す図である。
【００２０】
図１において、本実施形態に係る画像形成装置は、給紙部１００、作像部２００、排紙部３００及び読み取り部４００から基本的に構成されている。給紙部１００は第１の給紙ロール１１０、第２の給紙ロール１２０、第３の給送ロール１３０の３つのロール紙と、これらの各給紙ロール１１０，１２０，１３０から作像部３００へ搬送する複数の搬送ローラ１４１〜１４７と、手差しトレイ１４９とから主に構成されている。なお、前記搬送ローラ１４１〜１４７のうち、１４２，１４４，１４６は給紙ローラとして機能し、他のローラは中間搬送ローラとして機能している。
【００２１】
作像部２００はレーザ書き込みを行う図示しない書き込み光学系（書き込みユニット）、感光体２１０、感光体２１０の外周に配設された図示しない帯電ユニット、現像ユニット、クリーニングユニット、除電ユニット及び転写ユニット２２０、並びに定着ユニット２３０を備えている。排紙部３００は搬送ローラ３１０、排紙ローラ３２０及び排紙トレイ３３０から構成されている。搬送ローラ３１０は定着ユニット２３０の後段に、排紙ローラ３２０は搬送ローラ３１０の後段に、排紙テーブル３３０は排紙ローラ３１０の後段にそれぞれ設けられている。
【００２２】
読み取り部４００は、原稿台４１０、原稿搬送ローラ４２１，４２２，４２３、センサ４３１，４３２、原稿排紙台４４１、及び原稿搬送路４５１に設けられた図示しない原稿読み取り窓の下方に配置された図示しないスキャナ（読み取り光学系）から主に構成されている。
【００２３】
概略前記のように構成された画像形成装置では、原稿読み取り部４００の上部側に設けられた操作部５００においてモードを設定した後、原稿台４１０に原稿をセットすると原稿が搬送される。原稿の搬送路４５１の途中に設けられたセンサ群４３１，４３２によって読み取り対象の原稿の原稿サイズが検知される。原稿をセットした時点で原稿の幅を検知すると同時に、原稿搬送中に原稿の副走査長を検知することにより原稿サイズが確定する。このようにして原稿サイズが確定すると、原稿サイズもしくは設定したモードにより第１ないし第３の給紙ロール１１０，１２０，１３０のいずれかからロール紙が給紙される。
【００２４】
第１の給紙ロール１１０の用紙は搬送ローラ１４２，１４１，１４７により給紙され、途中の第１のロールカッタ１５１により所定の長さにカットされて搬送される。第２の給紙ロール１２０からも同様に搬送ローラ１４４，１４３，１４１，１４７により給紙され、途中の第１のロールカッタ１５１により所定の長さにカットされて搬送される。第３の給紙ロール１３０は搬送ローラ１４６，１４５，１４１，１４７により給紙され、途中の第２のロールカッタ１５２により所定の長さにカットされて搬送される。カットされて搬送された用紙は感光体２１０に当接する位置まで搬送される。原稿画像を読み込むスキャナにより読み込まれた画像データは書き込みユニットのレーザによって感光体２１０に書き込まれ、感光体２１０上に形成された潜像が現像ユニットを通過することによってトナー像が形成される。そして、用紙は感光体２１０の回転と等速で搬送されながら、感光体２１０上のトナー像が転写される。その後、定着ユニット２３０によって画像を用紙上に定着させ、排紙口切り換え部３４０により直線排紙３５１又は反転排紙３５２により排紙される。
【００２５】
図２は操作部５００を示す正面図である。同図において、操作部５００には、液晶タッチパネル５２０、テンキー５２２、クリア／ストップキー５２６、プリントキー５２５、モードクリアキー５２４、ユーザが使用する設定項目を設定する初期設定キー５２３，コピー動作として搬送している原稿を停止する原稿停止キー５２７，コピー動作として搬送している用紙を停止する用紙停止キー５２８が設けられている。液晶タッチパネル５２０には、図３に示すように、メッセージ表示部５２１とキー設定部５３０とからなる。メッセージ表示部５２１には、コピーの可不可、倍率、セット部数、コピー枚数などが表示される。キー設定部５３０には、濃度設定キー群（自動濃度キー５３１、マニュアルキー（こく、うすく）５３１１，５３１２）、用紙選択キー群（自動用紙選択キー５３２、幅設定キー５３２１，５３２２，５３２３）、変倍キー５３３、シンクロカットキー５３４及びロール紙サイズ設定キー５３５が設けられている。
【００２６】
図４は、図３で変倍キー５３３を押下した際に表示される子画面である。この子画面では、選択可能な変倍率が表示され、この表示部をタッチすることにより、その変倍率が入力される。
【００２７】
図５は本実施形態に係る画像形成装置の制御装置のブロック図である。制御装置はメインコントローラ（ＭＣＵ）５１を中心に画像処理ユニット（ＩＰＵ）５２、操作制御部５３、Ｉ／Ｏボード５６、スキャナ制御部５７、紙折り制御部５８などの分散制御装置が接続された構成となっている。ＭＣＵ５１は画像形成装置全体を制御する。操作制御部５１は前述のハード構成としての操作部５００の制御回路に対応するもので、オペレータに対する表示、オペレータからの機能設定入力制御を行う。スキャナ制御部５７は、前述の画像読み取り部４００を制御する。ＩＰＵ５２は、原稿画像を画像メモリに書き込む制御、画像メモリからの作像を行う制御等を行う。各分散制御装置とＭＣＵ５１は必要に応じて機械の状態、動作司令のやりとりを行っている。また、紙搬送等に必要なメインモータ、各種クラッチもＩ／Ｏボード５６に接続されており、ＭＣＵ５１によって制御されている。なお、操作制御部５３には液晶表示部５４とキー入力部５５が接続され、スキャナ制御部５７には、原稿サイズ検知センサ５９（前述のセンサ群４３１，４３２に対応）が接続されている。
【００２８】
図１を用いて、本実施形態における画像読み取りと潜像形成までの動作について説明する。潜像とは前に触れたが感光体２１０面上に画像を光情報に変換して照射することにより生じる電位分布である。スキャナは原稿台４１０にセットした原稿を搬送しながら原稿画像をＣＣＤイメージセンサにより読み取り（いわゆるシートスルー方式で原稿を読み取り）、原稿上のイメージを電気信号に変換する。書き込みは電気信号に変換されて処理された原稿画像をＬＥＤ（半導体レーザ）により感光体２１０上に集光画像として書き込む部分である。偏向されたＬＥＤ光は感光体２１０が回転する方向と直行する方向（主走査方向）に走査され、後述する画像処理部の画像データ選択部７Ｂより出力された画像信号のライン単位の記録を行う。感光体２１０の回転速度と記録密度に対応した所定の周期で主走査を繰り返すことによって、感光体２１０面上に画像（静電潜像）が形成される。
【００２９】
前述のように、書き込みユニットから出力されるＬＥＤ光が、作像部２００の感光体２１０に照射される。図示しないが感光体２１０のＬＥＤヘッドにより照射される位置に、主走査同期信号を発生するセンサ（同期検知センサ）が配置されている。この同期検知センサから出力される主走査同期信号に基づいて主走査方向の画像記録開始タイミングの制御、及び後述する画像信号の入出力を行うための制御信号が生成される。
【００３０】
図６は画像処理部（ＩＰＵ）５２の詳細を示すブロック図である。ＩＰＵ５２は、ＣＰＵ６７を中心に構成され、ＣＰＵ６７に対してバス６０を介してＣＣＤ６１、Ａ／Ｄコンバータ６２、２色分離及びシェーディング補正を行う第１の画像処理部６３、フィルタ、変倍、色データ膨張を行う第２の画像処理部６４、画像処理、書き込み制御、画像パス切り換えを行う第３の画像処理部６５、画像メモリコントローラ（ＭＳＵ）６６、ＲＡＭ６８、ＲＯＭ６９、及び書き込みユニット６１０が接続されている。なお、符号６１１はＡＰＳ（自動電源供給装置）である。
【００３１】
このような構成のＩＰＵ５２では、露光ランプから照射された光によって原稿面を照射し、原稿面からの反射光をＣＣＤイメージセンサ６１にて結像レンズ（図示せず）により結像、受光して光電変換し、Ａ／Ｄコンバータ６２にてデジタル信号に変換する。デジタル信号に変換された画像信号は、第１の画像処理部６３でシェーディング補正された後、第２の画像処理部６４でフィルタ補正、変倍色データ膨張、γ補正等が行われる。第３の画像処理部６５では、画像信号の送り先、すなわち、画像メモリコントローラ（ＭＳＵ）６６又は書き込みユニット６１０へ送り先が切り換えられる。なお、後述するが、画像メモリコントローラ６６は画像を記憶する画像メモリも含んでいる。
【００３２】
画像メモリコントローラ（ＭＳＵ）６６と第３の画像処理部６５は、双方向に画像信号を入出力可能な構成となっている。図６には特に明示していないが、画像処理部（ＩＰＵ）５２には、読み取り部４００から入力される画像データ以外にも外部から供給される画像データ（例えばパーソナルコンピュータ等のデータ処理装置から出力されるデータ）も処理できるよう複数のデータの入出力の選択を行う機能も備えている。
【００３３】
前記ＣＰＵ６７は画像メモリコントローラ６６等への設定や、読み取り部４００、書き込みユニット６１０の制御を行い、ＲＯＭ６９はＣＰＵ６７が実行するプログラムやデータを格納し、ＲＡＭ６８はＣＰＵ６７のワークエリアとして使用され、また、動的なデータを格納する。さらにＣＰＵ６７は、画像メモリコントローラ６６を介して、後述の図８に示す画像メモリ８３のデータの書き込み、読み出しを行う。
【００３４】
図７は図６における第３の画像処理部６５の内部構造を示すブロック図である。第３の画像処理部６５は、スキャナマスク部７１、色変換部７２、色消去部７３、ビット反転部７４、印字合成部７５、印字コア部７６、及びＭＳＵ合成部７９から主に構成されている。このように構成された第３の画像処理部６５は、第２の画像処理部６４で画像処理された画像データを読み込むときに、スキャナマスク部７１で領域をマスクし、モードに応じて色変換が必要な場合は、色変換部７２で色変換処理、色消去部７３で色消去処理、画像反転部７４で画像反転処理、印字合成部７５でページ、日付、特殊文字等を印字合成して画像データを無条件に画像メモリコントローラ６６に保存する。印字コア部７６では、ページ印字のページを作成し、スタンプ文字等、文字コードを取り出して印字を作成し、印字イメージデータを発生する。ＲＯＭ７７、ＲＡＭ７８は印字制御に関与するメモリである。また、画像データ選択部７Ｂは、前記符号７１〜７５で示した各部でそれぞれ処理を施した画像信号をスルーで画質コア部７Ｃに出力するか、画像メモリコントローラ６６に格納された画像データを画質コア部７Ｃに出力するか、画像処理された画像データに対して画像メモリコントローラ６６からの画像を合成した画像データを画質コア７Ｂに出力するかを選択する。
【００３５】
図８は図７における画像メモリコントローラ６６の詳細を示すブロック図である。同図において、画像メモリコントローラ６６は、１次圧縮部３１／伸長部８２、１次画像データの保存メモリであるバンクＡ８４、バンクＢ８５を含む画像メモリ（ＤＲＡＭ）８３、２次圧縮／伸長部８６、大容量メモリであるハードディスクドライブ（ＨＤＤ）８７、及び伸長された登録画像の画像倍率を変更する変倍部８８を備えている。各ブロックへの制御データの設定はＣＰＵ６７より行われる。
【００３６】
すなわち、画像メモリコントローラ６６は、１次及び２次記憶装置（８３、８７）からなる。１次記憶装置８３は、メモリの指定した領域へのデータ書き込み、又は画像出力時のメモリの指定した領域からのデータ読み出しが画像データの入力／出力時に要求されるデータ転送速度に略同期して行えるように、本実施形態では、ＤＲＡＭ等の高速アクセスが可能なメモリを使用する。また、１次記憶装置８３は、処理を行う画像データの大きさにより複数のエリアに分割して（この例ではバンクＡ８４，バンクＢ８５）画像データの入出力を同時に実行可能な構成（メモリコントローラとのインターフェース部）を有している。
【００３７】
２次記憶装置８７は、入力された画像の合成、ソーティングを行うためにデータを保存しておく大容量のメモリで、前述のようにＨＤＤが使用されている。２次記憶装置８７においても、前記１次記憶装置８３と同様に、画像入出力時に要求されるデータ転送速度に略同期してデータの書き込み／読み出しが可能である。なお、１次圧縮部８１は入力された画像データを圧縮して１次記憶部８３に転送し、１次伸長部８２は１次記憶部８３からの画像データを伸長し、変倍部８８に転送する。２次圧縮伸長部８５は１次記憶部８３のデータを圧縮し、２次記憶部８７に転送し、２次記憶部８７からのデータを伸長し、１次記憶部８３に転送する。
【００３８】
画像メモリコントローラ６６は例えば以下のように動作する。
【００３９】
［１］画像入力（画像メモリへの保存）
図８において、前段の複数の画像処理部７１〜７５で画像加工された画像データ８Ｖ１は無条件にＭＳＵ合成部７９に供給され、既に画像メモリ（８３、８７）に保存されているデータとの合成を行う。ＭＳＵ合成部７９によって画像合成された画像データ８Ｖ２は、１次圧縮部８１／伸長部８２により圧縮され、圧縮後のデータを１次記憶装置８３に書き込む（８Ｖ３）み、同時に２次圧縮／伸長部８６に送られ（８Ｖ４）でさらに圧縮を行った後に保存される（８Ｖ５）。なお、画像データ選択部７Ｂで選択されたデータ８Ｖ６が後段に転送される。
【００４０】
［２］画像出力（画像メモリからの読み出し）
図９は画像メモリ（８３，８７）からの読み出し時の動作を示すブロック図である。画像メモリコントローラ６６は画像出力時に１次記憶装置８３に記憶されている画像データの読み出しを行うときのデータの流れを示している。出力対象となる画像が１次記憶装置８３に格納されている場合には、１次記憶装置８３から読み出し（９Ｖ３）て１次圧縮部８１／伸長部８２で１次記憶装置８３の画像データの伸長を行い、伸長後のデータ（９Ｖ４）、もしくは伸長後のデータと入力データとの画像合成を行った後のデータを出力する。その際、変倍部８８により伸長後の画像の倍率を変更することができる。ＭＳＵ合成部７９は、１次記憶装置８３の画像データ（９Ｖ５）と、入力データ８Ｖ１とを合成し（画像データの位相調整機能を有する）、合成後の画像データ（９Ｖ６）の出力先を選択する（画像出力、１次記憶装置８３へのライトバック、両方の出力先への同時出力も可能）等の処理を行う。出力対象となる画像が１次記憶装置８３に格納されていない場合には、ＨＤＤ８７に格納されている出力対象画像データ（９Ｖ１）を２次圧縮／伸長部８６で伸長し、伸長後のデータ（９Ｖ２）を１次記憶装置８３に書き込んでから、１次伸長部８２に渡し（９Ｖ３）前述の画像出力動作を行う。
【００４１】
また、前述の印字モードにおいて、任意のスタンプ用イメージはユーザが必要に応じて登録できるように構成されている。スタンプイメージ登録モードになるとスキャナからの画像を上述のＨＤＤ８７に登録しておき、後からユーザが必要なスタンプイメージを選択すると、このスタンプイメージデータがＨＤＤ８７から読み出されてＭＳＵ合成部７９に送られて原稿画像に合成される。なお、画像データ選択部７Ｂで選択されたデータ９Ｖ６が後段に転送される。
【００４２】
このように各部が構成された画像形成装置では、以下のようにして画像形成を実行する。  
本来、原稿画像１枚に対して画像形成枚数が１枚の場合は、あえて画像データを画像メモリ８３に記憶する必要はないが、要求する画像形成枚数が複数部の場合は、毎回スキャンする必要がないこと、転写紙ジャム等が発生した場合でも、再度原稿を読み込ませる必要がないことを考慮し、スキャンして読み込んだ画像は無条件に画像メモリ８３及びＨＤＤ８７に保存するようになっている。
【００４３】
Ａ系列のロール紙で一般的な幅、例えば８４１ｍｍ、５９４ｍｍ、４２０ｍｍ、２９７ｍｍ，２１０ｍｍなどはそのロール紙幅から得られる定型サイズは決まっているが、この一般的なロール紙幅でないロール紙を使用する際には、従来の場合は、不定形サイズとして用紙サイズを入力し、コピーする方法しかなかった。そのため、不定形サイズは自動用紙選択対象外であったり、他のモードとの組み合わせが不可能であったりと操作性が悪く機能も充分に利用することができなかった。そこで、特殊な幅のロール紙を定型扱いすることができるようにすれば、定型紙に関する機能を充分に利用することができる。定型サイズとして扱うためには、定型紙として登録する手段が必要である。本実施形態では、図３のロール紙サイズ設定キー５３５がそれに該当する。
【００４４】
図１０は不定形のロール紙幅のロール紙を定型紙として取り扱う場合の処理手順を示すフローチャートである。以下、このフローチャートを参照して説明する。例えばロール紙４２０ｍｍの幅のロール紙からは、Ａ３横用紙とＡ２縦用紙の定型サイズを得ることができるが、この４２０ｍｍよりも若干長い４４０ｍｍのロール紙を定型紙として登録する場合、まず、ロール紙サイズ設定キー５３５を使用して不定型紙の定型紙への設定が開始される（ステップＳ１）。この設定キー５３５を押下することにより、まず、どの給紙段に４４０ｍｍのロール紙を割り当てるかをテンキー５２２にて設定し（ステップＳ２）、＃キーを押下することにより給紙段を確定させる（ステップＳ３）。ここでいう給紙段は前記給紙ロール１１０，１２０，１３０のいずれかである。さらに、テンキー５２２にてロール紙の幅、この場合は４４０（ｍｍ）を設定して（ステップＳ４）＃キーを押下することによりロール紙幅を確定する（ステップＳ５）。さらにテンキー５２２で定型横サイズの副走査長、定型縦サイズの副走査長を入力する（ステップＳ６，Ｓ８）ことにより４４０ｍｍのロール紙の場合、定型横サイズ（４４０ｍｍ×２９７ｍｍ）、定型縦サイズ（４４０ｍｍ×５９４ｍｍ）を定型サイズとして登録することができる（ステップＳ７，Ｓ９）。この登録した定型サイズは操作部５２０にも表示する。この表示状態が  図３における長さ４４０ｍｍの枠内表示の２９７ｍｍと５９４ｍｍのサイズ表示５３２１ａ，５３２１ｂに対応する。同様に長さ４２０ｍｍでは、Ａ３Ｙ、Ａ２Ｔのサイズ表示５３２２ａ，５３２２ｂが、長さ８４１ｍｍではＡ１Ｙ、Ａ０Ｔのサイズ表示５３２３ａ，５３２３ｂが行われる。
【００４５】
このように設定することにより、原稿サイズとして４４０ｍｍの原稿を検知した際に、通常の自動用紙選択と同様に４４０ｍｍロール紙を選択し、ユーザが設定した定型サイズ原稿を検知した際に、４４０ｍｍロール紙を選択し、定型紙（４４０ｍｍ×２９７ｍｍ、４４０ｍｍ×５９４ｍｍ）としてコピーすることが可能となる。この定型サイズは一般的ではないため、表示はｍｍ表示するが、他のＡ系列の定型サイズと同様に扱うことができる（図３参照）。
【００４６】
以上のように本実施形態によれば、  
１）任意のロール紙幅のロール紙に対して幅寸法を入力して定型サイズを設定することができるので、画像形成装置の機能を有効に利用することが可能となる。  
２）設定した任意のロール紙幅に対応した定型用紙サイズとして副走査長を設定することができるで、任意のロール紙幅のロール紙に対して定型サイズとして利用することが可能となる。  
３）検知した原稿の主走査長と副走査長及び設定された倍率より、最適な用紙を選択する自動用紙選択の機能において、任意に設定した定型用紙サイズを自動用紙選択の対象としているので、任意のロール紙幅のロール紙に対しても自動用紙選択で用紙を選択することが可能となり、生産性及び操作性の向上を図ることができる。  
４)任意に設定した定型用紙サイズを自動倍率選択の対象とするので、任意のロール紙幅のロール紙に対しても自動倍率選択で倍率を選択することが可能となり、生産性及び操作性の向上を図ることができる。  
等の効果を奏する。
【図面の簡単な説明】
【００４７】
【図１】本発明の実施形態に係る画像形成装置の概略構成を示す図である。
【図２】図１の操作部の正面図である。
【図３】図２の操作部の液晶タッチパネルの拡大正面図である。
【図４】図３で変倍キーを押下した際に表示される子画面の表示状態を示す正面図である。
【図５】本実施形態に係る画像形成装置の制御装置を示すブロック図である。
【図６】図５の画像処理部（ＩＰＵ）の詳細を示すブロック図である。
【図７】図６における第３の画像処理部の内部構造を示すブロック図である。
【図８】図７における画像メモリコントローラ６６の詳細を示すブロック図である。
【図９】画像メモリからの読み出し時の動作を示すブロック図である。
【図１０】不定型のロール紙幅のロール紙を定型紙として取り扱う場合の処理手順を示すフローチャートである。
【符号の説明】
【００４８】
６７  ＣＰＵ
１１０  第１の給紙ロール
１２０  第２の給紙ロール
１３０  第３の給紙ロール
５２２  テンキー
５３０  キー設定部
５３２  自動用紙選択キー
５３３  変倍キー
５３５  ロール紙サイズ設定キー
５３２１，５３２２，５３２３  幅設定キー
【図１】
2007225816.tif 000003
【図２】
2007225816.tif 000004
【図３】
2007225816.tif 000005
【図４】
2007225816.tif 000006
【図５】
2007225816.tif 000007
【図６】
2007225816.tif 000008
【図７】
2007225816.tif 000009
【図８】
2007225816.tif 000010
【図９】
2007225816.tif 000011
【図１０】
2007225816.tif 000012